(57)【要約】【課題】デッキプレートを敷き残しなく小梁上に敷きつめることができ、デッキユニットを大梁上にセットしたとき、後の端部デッキプレート敷きの施工が不要になり、労務手間が減少し、デッキユニットのセット後は床上の隙間がなく安全で、落下防止の水平ネットや墜落防止の親綱を行う必要がない。【解決手段】間隔をあけて配置される複数の小梁１上にデッキプレート２を取り付けてデッキユニット３を構成する。このデッキユニット３を、小梁１の上面端部１ａに取り付けた縦プレート６ａにワイヤー連結具を取り付けて吊り上げる。縦プレート６ａは、小梁の端部から外方へ張り出すように取り付け、この張出部分７を大梁の上面に載せることで、デッキプーレトを大梁間に配置した後、小梁と大梁とを接合するまでの間、デッキユニットの荷重を大梁に仮預けする。【選択図】　　図１
2004036178.tif 000002
【特許請求の範囲】
【請求項１】
間隔をあけて配置される複数の小梁上にデッキプレートを取り付けてデッキユニットとし、該デッキユニットを吊り上げて大梁間に配置し、前記小梁と前記大梁とを接合するデッキユニットの組付方法において、
前記小梁の上面端部に吊上部材を取り付け、該吊上部材を介して前記デッキユニットを吊り上げることを特徴とするデッキユニットの組付方法。
【請求項２】
請求項１記載のデッキユニットの組付方法において、
前記吊上部材は、前記小梁の長さ方向に延び、その下端を前記小梁の上面に溶接される縦プレートであることを特徴とするデッキユニットの組付方法。
【請求項３】
請求項１記載のデッキユニットの組付方法において、
前記吊上部材は、前記小梁の長さ方向に延び、その底面フランジを前記小梁の上面にボルトにより固定されるＴ形鋼であることを特徴とするデッキユニットの組付方法。
【請求項４】
請求項１記載のデッキユニットの組付方法において、
前記吊上部材を、前記小梁の端部から外方へ張り出して取り付け、前記デッキユニットを吊り上げて前記大梁間に配置した後、前記小梁と前記大梁とを接合するまでの間に、前記吊上部材の張出部分を前記大梁の上面に載せて、前記デッキユニットの荷重を大梁に仮預けすることを特徴とするデッキユニットの組付方法。
【請求項５】
請求項１〜４のいずれか一項に記載のデッキユニットの組付方法において、
前記デッキユニットを複数枚重ねた状態で吊り上げ、下側のデッキユニットから順に前記大梁間にセットすることを特徴とするデッキユニットの組付方法。
【発明の詳細な説明】
【０００１】
【発明の属する技術分野】
本発明はデッキユニットの組付方法に関する。
【０００２】
【従来の技術】
鉄骨構造の建物においてスラブを施工するにあたり、図８に示すように、小梁１００上にデッキプレート１０１を取り付けてデッキユニット１０２とし、このデッキユニット１０２をクレーン等の適宜吊上手段により吊り上げて大梁１０３間に配置し、小梁１００と大梁１０３とを接合させた後、デッキプレート１０１上にコンクリートを打設し、これによりコンクリート製のスラブを得る工法がある。いわゆる床版ユニット化工法である。
この工法では、大梁１０３に小梁１００をセットした後、小梁１００上にデッキプレート１０１を取り付ける工法に比べ、デッキプレート１０１を小梁１００に取り付けて予めユニット化した状態で大梁１０３に組み付けるため、その分、作業効率に優れ、工期短縮並びにコスト低減が図れる利点がある。
【０００３】
前記デッキユニット１０２を吊り上げて大梁１０３間に配置する際には、図９に示すように、小梁１００の上部フランジ１００ａに、側部から該上部フランジ１００ａを挟み込むように挟持固定具１０４を取り付け、この挟持固定具１０４にワイヤー連結具１０５を取り付け、このワイヤー連結具１０５から上方に延びるワイヤー１０６に連結された吊りフレーム１０７を介してクレーン等の適宜吊上手段により吊り上げていた。
【０００４】
【発明が解決しようとする課題】
前述した従来のデッキユニットの組付方法には、以下の問題があった。
すなわち、小梁１００の上部フランジ１００ａに側部から挟み込む挟持固定具１０４を取り付け、この挟持固定具１０４を介してデッキユニット１０２を吊り上げるようにしており、挟持固定具１０４は比較的幅寸法が大きいため、デッキプレート１０１を小梁１００の長さ方向端部まで敷きつめることができず、デッキプレート１０１と大梁１０３との間に、デッキプレート１０１の敷き残し部分がそのまま開口１０８として残ってしまう。
【０００５】
この開口１０８は、後の端部デッキプレート敷き施工によって塞ぐようにしているが、この場合、溶接ケーブルの段取り等を含め、労務手間がかかってしまう。
また、端部デッキプレート敷き施工をする前は、デッキプレート１０１と大梁１０３との間に開口１０８が残ったままであり、安全性の面から問題がある。安全性の面の対策として、開口１０８に落下防止用のネットや墜落防止の親綱を張る方法もあるが、この場合、ネット等を張るための新たな工程が増えてしまい、工期が長引くとともにコストがアップするという別の新たな問題が生じる。
【０００６】
前記事情に鑑み、本発明においては、デッキプレートを小梁の端部まで達するように敷きつめることができ、デッキユニットを大梁上にセットしたときデッキプレートと大梁との間に開口が生じず、後の端部デッキプレート敷き施工が不要になって労務手間が減少し、しかも、落下防止の水平ネットや墜落防止の親綱を張る必要がなく安全面でも優れるデッキユニットの組付方法を提供することを課題としている。
【０００７】
【課題を解決するための手段】
前記課題を解決するために本発明においては、以下の手段を採用した。
すなわち、請求項１記載のデッキユニットの組付方法は、間隔をあけて配置される複数の小梁上にデッキプレートを取り付けてデッキユニットとし、該デッキユニットを吊り上げて大梁間に配置し、前記小梁と前記大梁とを接合するデッキユニットの組付方法において、前記小梁の上面端部に吊上部材を取り付け、該吊上部材を介して前記デッキユニットを吊り上げることを特徴としている。
請求項２記載のデッキユニットの組付方法は、請求項１記載のものにおいて、前記吊上部材が、前記小梁の長さ方向に延び、その下端を前記小梁の上面に溶接される縦プレートであることを特徴としている。
請求項３記載のデッキユニットの組付方法は、請求項１記載のものにおいて、前記吊上部材が、前記小梁の長さ方向に延び、その底面フランジを前記小梁の上面にボルトにより固定されるＴ形鋼であることを特徴としている。
請求項４記載のデッキユニットの組付方法は、請求項１記載のものにおいて、前記吊上部材を、前記小梁の端部から外方へ張り出して取り付け、前記デッキユニットを吊り上げて前記大梁間に配置した後、前記小梁と前記大梁とを接合するまでの間に、前記吊上部材の張出部分を前記大梁の上面に載せて、前記デッキユニットの荷重を大梁に仮預けすることを特徴としている。
請求項５記載のデッキユニットの組付方法は、請求項１〜４のいずれかに記載のものにおいて、前記デッキユニットを複数枚重ねた状態で吊り上げ、下側のデッキユニットから順に前記大梁間にセットすることを特徴としている。
【０００８】
本発明のデッキユニットの組付方法によれば、小梁の上面端部に縦プレートやＴ形鋼等からなる吊上部材を取り付け、該吊り上げ部材を介してデッキユニットを吊り上げるようにしており、デッキプレートに吊上部材との干渉を避けるよう切欠を形成するだけで、該デッキプレートを小梁の長さ方向端部まで達するように敷きつめることができる。この結果、デッキユニットを大梁間に配置し、小梁と大梁とを接合する段階で、デッキプレートと大梁との間にデッキプレートの敷き残しによる開口が生じることがなく、したがって、従来行っていた後の端部デッキプレート敷き施工が不要になる。
【０００９】
【発明の実施の形態】
以下、本発明の実施の形態を図面に基づいて説明する。
図１は本発明に係るデッキユニットの組付方法を示す斜視図である。本発明に係るデッキユニットの組付方法を説明する前に、デッキユニット３およびこのデッキユニット３を吊り上げるため、小梁１に取り付けられる吊上部材６について説明する。
【００１０】
デッキユニット３は、間隔をあけて配置される複数の小梁１上に、デッキプレート２がボルト止め等の適宜固定手段により取り付けられて構成される。デッキユニット３は予め工場等で作成し現場のストックヤードに運ばれても、あるいは、作業現場の地組ヤードで作成され、ストックヤードに運ばれてもよい。
【００１１】
このデッキユニット３の小梁１の上面端部１ａには吊上部材６が取り付けられる。吊上部材６は小梁１を作成するときあるいはその後デッキユニット３を作成するときに取り付けられる。この吊上部材６は、デッキユニット３を吊り上げる際に、ワイヤー１０６の下端に取り付けられるワイヤー連結具１０５に連結されるものである。
【００１２】
前記吊上部材６の具体的な例としては、図２（ａ）に示すように、小梁１の長さ方向に延び、その下端を小梁１の上部フランジの幅方向略中央に溶接される長方形状の縦プレート６ａが挙げられる。また、縦プレート６ａの略中央部分には孔が形成され、この孔を介してワイヤー連結具１０５が取り付けられるよになっている。
【００１３】
また、前記吊上部材６の他の具体的な例としては、図２（ｂ）に示すように、小梁１の長さ方向に延び、その底面フランジ６ｂａを小梁１の上面に図示せぬボルトにより固定されるＴ形鋼６ｂが挙げられる。Ｔ形鋼６ｂのウェブ部６ｂｂの略中央部分にも孔が形成され、この孔を介してワイヤー連結具１０５が取り付けられるようになっている。
【００１４】
また、前記吊上部材６は小梁１の上面端部１ａに取り付けられるとき、小梁１の端部から外方へ張り出すように取り付けられる。このようの小梁１の端部から外方へ張り出す張出部分７を設ける点は、縦プーレト６ａおよびＴ形鋼６ｂについても同様である。
【００１５】
前記デッキプレート２は、作成時において、小梁１の上部フランジ１ｂにボルトや溶接等の適宜固定手段で取り付けられるが、このとき、小梁１の長さ方向端部まで達するように敷きつめられて取り付けられる。ここで、デッキプレート２の端部と縦プレート６ａ等の吊上部材６とが干渉することが懸念されるが、予め、デッキプレート２に縦プレート６等ａとの干渉を避けるよう切欠２ａを設けておけば（図２参照）、吊上部材６との干渉を避けることができる。
【００１６】
次に、本発明のデッキユニットの組付方法について説明する。
予め、ストックヤードに積み上げてあるデッキユニット３に対し、小梁１に取り付けた吊上部材６にワイヤー連結具１０５を連結する。ワイヤー連結具１０５は、クレーン等の適宜吊上手段に吊り上げられる吊りフレーム１０７から下方に延びるワイヤー１０６の先端に取り付けられている。そして、これらワイヤー連結具１０５、ワイヤー１０６、吊りフレーム１０７等を介して吊上手段によりデッキユニット３を吊り上げ、大梁４間の正規の位置に配置する（図１、図３参照）。
【００１７】
このとき、吊上部材６の小梁１の端部から張り出す張出部分７を、大梁４の上面４ａに載せて、デッキユニット３の荷重を大梁４に仮預けする。その後、吊上部材６からワイヤー連結具１０５を外し、クレーン等の吊上手段によるデッキプレート３の吊り支持を解放する。この状態で、小梁１の端部を大梁４にボルト止めする。
【００１８】
ここで、前述したようにデッキプレート２が小梁１の端部まで達するように敷きつめられており、デッキユニット３を吊り上げて大梁４間の正規の位置に正確に位置決めしたり、その後の小梁１と大梁４とを接合する作業は、デッキプレート２と大梁４との間に開口がなく、上部から手を差し入れることができないから、それらデッキユニット３の下側からの作業になる（図４参照）。
それらデッキユニット３の下側からの作業は、図に示すように、大梁４の下方にパイプ材等で足場８を組み、この足場を使用して進めたり、あるいは図４（ｂ）に示すように、下側のスラブ９に高所作業車１０を走らせ、この高所作業車１０を利用して進めることで何ら支障なく行うことができる。
【００１９】
上述した発明の実施の形態では、小梁１の上面１ａ端部に縦プレート６ａやＴ形鋼６ｂ等からなる吊上部材６を取り付け、吊上部材６を介してデッキユニット３を吊り上げるようにしており、デッキプレート２に吊上部材６との干渉を避けるよう切欠２ａを形成するだけで、該デッキプレート２を小梁１の端部１ａまで達するように敷きつめることができる。
【００２０】
この結果、デッキユニット３を大梁４間に配置し、小梁１と大梁４とを接合する段階で、デッキプレート２と大梁４との間にデッキプレート２の敷き残しによる開口が生じることがない。このため、従来行っていた後工程の端部デッキプレート敷き施工も不要になる。また、デッキプレート２と大梁４との間に落下防止用のネットや墜落防止の親綱を張ることも勿論不要になる。
なお、縦プレート６ａの高さが所定値より高い場合、デッキユニット３を吊り上げてセットした後に縦プレート６ａを切断する作業が必要になるが、縦プレート６ａの高さを予め、後打ちされるコンクリートスラブ内に埋まる高さに設定しておけば、この切断作業は不要になる。
【００２１】
また、吊上部材６とデッキプレート２の切欠２ａとの間に隙間が形成され、後工程でデッキプレート２上にスラブ用のコンクリートを打設するときに、この吊上部材６とデッキプレート２の切欠２ａとの間の隙間からコンクリートが漏れ出ることが懸念されるが、吊上部材６の下側には小梁１の上部フランジ１ａがあり、これが吊上部材６とデッキプレート２の切欠２ａとの間の隙間を塞ぐ位置にあるので、例え、吊上部材６とデッキプレート２の切欠２ａとの間の隙間からコンクリートが漏れ出る場合であっても、漏れ出たコンクリートは上部フランジ上に止まり、下階まで落下することはない。
【００２２】
また、デッキユニット３を吊り上げて大梁４間に配置した後、小梁１と大梁４とを接合するまでの間に、吊上部材６の張出部分７を大梁４の上面に載せて、デッキユニット３の荷重を大梁４に仮預けするから、その後のクレーン等の吊上手段による吊り支持が不要になり、吊上手段の早期解放が可能となる。また、仮預け後は、不安定なワイヤー支持ではなく溶接等固定した吊上部材６による支持であるので、デッキユニット３がふらついたり揺れ動いたりすることのない安定した支持が行える。このため、小梁１と大梁４とをボルト接合する作業をデッキユニット３の下側から安心して行うことができる。また、小梁１の大梁４へのボルト接合する時期を自由に選ぶことができ、工程上また労務上の面でも有利になる。
加えて、縦プレート６ａ等の吊上部材６を張出部分７を利用し、この張出部分７を大梁４に溶接やボルト止め等の固定手段により接合する構成にすれば、小梁１端部の剪断力を大梁４に伝達することができ、強度の向上も図れる。
【００２３】
図５は本発明の他の実施の形態を示すものである。
なお、この実施の形態では、説明の便宜上、前述の実施の形態で説明した構成要素と同一構成要素については同一符号を付してその説明を省略する。
この実施の形態の特徴は、デッキユニット３を複数枚重ねた状態で吊り上げ、下側のデッキユニット３から順に前記大梁４間にセットする点にある。
すなわち、図５、図６（ａ）に示すものは、複数のデッキユニット３を小梁１の幅方向にずらして配置し、個々のデッキユニット３の小梁１の上面端部１ａに前記縦プレート６ａを取り付け、それら縦プレート６ａにそれぞれワイヤー連結具１０５を介してワイヤー１０６を取り付け、これらワイヤー１０６およびその上端に取り付けた吊りフレーム１０７を介して複数のデッキユニット３をクレーン等の吊上手段により一体的に吊リ上げるようにしている。
【００２４】
そして、図７に示すように互いに重ねた状態で吊り上げた複数のデッキユニット３のうち最下部に位置するデッキユニット３を所定の大梁４の間に位置させ、このデッキユニット３を、縦プレート６をそれら大梁４の上面４ａに載せて仮預ける。この状態でクレーン等の吊上手段による吊り支持を解く。次いで、この時点で最下端に位置するデッキユニット３（初期状態から見れば下から２番目のデッキユニット３）を、次なる大梁３間に位置させてセットする。
以下、上記操作を繰り返しすことで、複数のデッキユニット３を吊り上げ、下側のデッキユニット３から順に前記大梁４間にセットすることができる。
【００２５】
このデッキユニットの組付方法であると、ストックヤードに配置されている複数のデッキユニット３を一体として吊り上げることができるので、デッキユニット３を一つずつ吊り上げる方法に比べて、クレーン等の吊上手段の作業効率が向上するとともに、ストックヤードの利用効率も向上する。
【００２６】
なお、デッキユニット３を複数枚重ねて吊り上げる方法としては、図５、図６（ａ）に示すものに限られることなく、図６（ｂ）に示すようなものもある。
図６（ｂ）に示すものは、個々のデッキユニット３の小梁１の上面端部１ａに縦プレート６ａを取り付ける点は、前述したものと同様であるが、ここでは、小梁１の下部フランジ１ｃに連結用プレート２１を下方に延びるように取り付け、この連結用プレート２１と前記縦プレート６ａとをボルトやピンを介して連結することにより、下側のデッキプレート３を上側のデッキプレート３に支持させている。
【００２７】
そして、最上部のデッキユニット３をワイヤー１０６等により吊り下げるだけで、その下側に位置する複数のデッキユニット３をそれぞれ順に支持することができ、もって、ストックヤードに配置されている複数のデッキユニット３を一体として吊り上げることができる。
【００２８】
このようなデッキユニットの組付方法によっても、複数のデッキユニット３を一体として吊り上げることができ、前述したように、クレーン等の吊上手段の作業効率がよくなるとともに、ストックヤードの利用効率もよくなる。
加えて、この組付方法によれば、ストックヤードで積み重ねた場合、縦プレート６ａと連結用プレート２１とを連結させることで、両者がスペーサの働きをすることとなり、重ねられた複数のデッキユニット３の荷重が、例え最下部に位置するデッキユニット３のデッキプレート２に作用してデッキプレート２が変形するといった不具合の発生を未然に防止できる。
【００２９】
以上において本発明の一実施の形態を説明したが、本発明は前記実施の形態に限定されるものでなく、その趣旨を逸脱しない範囲内で他の構成を採用することができる。
例えば、前記実施の形態においては、互いに平行に配置される２本の小梁１にデッキプレート２を取り付けた例に基づきデッキユニット３を説明したが、デッキユニット３を構成する小梁１の数は２本に限られることなく、３本でもあるいは４本以上であってもよい。また、デッキプレート２の形は、図に示すような台形に限らず、波形あるいは補強された平坦状のものでもよい。
【００３０】
【発明の効果】
以上説明したように、本発明によれば以下の効果を奏する。
請求項１に係るデッキユニットの組付方法によれば、小梁の上面端部に取り付けた吊上部材を介してデッキユニットを吊り上げるので、デッキプレートを小梁の端部まで達するように敷きつめることができ、デッキユニットを大梁間に配置し、小梁と大梁とを接合する段階で、デッキプレートと大梁との間にデッキプレートの敷き残しによる開口が生じることがない。このため、デッキユニットを大梁上にセットしたとき、従来行っていた後工程の端部デッキプレート敷き施工が不要になるため、溶接ケーブルの段取等を含めて労務手間が減少する。また、デッキユニットのセット後は、床上の隙間がなく安全である。また、落下防止の水平ネットや墜落防止の親綱を行う必要もない。
【００３１】
請求項２に係るデッキユニットの組付方法によれば、吊上部材として、小梁の長さ方向に延び、その下端を小梁の上面に溶接される、至極簡単な縦プレートを用いるので、コストを低減できるとともに、工期も短縮できる。また、縦プーレトの高さをデッキプレート上に打設するコンクリート厚以下に設定すれば、縦プレートを後工程で切断する必要がなく、この点においても労務手間を省くことができる。
【００３２】
請求項３に係るデッキユニットの組付方法によれば、吊上部材として、小梁の長さ方向に延び、その底面フランジを小梁の上面にボルトにより固定される至極簡単なＴ形鋼を用いるので、請求項２に係る発明と同様、コストを低減できるとともに、工期も短縮できる。また、Ｔ形鋼は繰り返し使用できるので、材料費を低減することができる。
【００３３】
請求項４に係るデッキユニットの組付方法によれば、吊上部材を小梁の端部から外方へ張り出して取り付け、この吊上部材の張出部分を大梁の上面に載せて、デッキユニットの荷重を大梁に仮預けするから、デッキユニットの吊荷の落下のおそれがなく、しかも、クレーン等の吊り上げ手段を早期に解放できる。また、小梁のボルト締めのタイミングに自由度が生じ、工程上の面でもまた労務手間の面でも有利になる。
【００３４】
請求項５に係るデッキユニットの組付方法によれば、デッキユニットを複数枚重ねた状態で吊り上げ、下側のデッキユニットから順に前記大梁間にセットするから、クレーン等吊り上げ手段の作業効率が良くなり、ストックヤードの利用効率も良くなる。
【図面の簡単な説明】
【図１】本発明の一実施の形態を示すデッキユニットの組付方法におけるデッキユニットを吊り上げた状態を示す斜視図である。
【図２】本発明の一実施の形態を示すデッキユニットの組付方法で用いられる吊上部材の例を示す斜視図である。
【図３】本発明の一実施の形態を示すデッキユニットの組付方法におけるデッキユニットを吊り上げて大梁の間に配置した状態を示す斜視図である。
【図４】本発明の一実施の形態を示すデッキユニットの組付方法における小梁と大梁とを接合する状態を示す側面図である。
【図５】本発明の他の実施の形態を示すデッキユニットの組付方法におけるデッキユニットを吊り上げた状態を示す斜視図である。
【図６】本発明の他の実施の形態を示すデッキユニットの組付方法におけるデッキユニットを吊り上げた状態を示す要部斜視図である。
【図７】本発明の他の実施の形態を示すデッキユニットの組付方法におけるデッキユニットを大梁の間にセットする状態を示す側面図である。
【図８】従来のデッキユニットの組付方法を説明する斜視図である。
【図９】従来のデッキユニットの組み付け方法を説明する一部の拡大斜視図である。
【符号の説明】
１　小梁
１ａ　上面端部
２　デッキプレート
２ａ　切欠
３　デッキユニット
４　大梁
６　吊上部材
６ａ　縦プレート
６ｂ　Ｔ形鋼
７　張出部分
２１　連結用プレート
【図１】
2004036178.tif 000003
【図２】
2004036178.tif 000004
【図３】
2004036178.tif 000005
【図４】
2004036178.tif 000006
【図５】
2004036178.tif 000007
【図６】
2004036178.tif 000008
【図７】
2004036178.tif 000009
【図８】
2004036178.tif 000010
【図９】
2004036178.tif 000011